(57)【要約】      （修正有）【課題】天井部の野縁材等の揺れを保護する天井の下地構造に関し、天井部の揺れに対して、天井の下地材等を揺れから免震保護し、また簡単な構造で施工性にも優れた天井の下地構造を提供する。【解決手段】天井の下地材として、天井部に並べて配置された下地棒材４、及び下地棒材の下側に配置された天井板材６を有する天井の下地構造において、開口部が横向きに形成された断面コの字状かつ長尺状の保持部材８を具備し、天井際の壁部１２に、保持部材８を横向き且つ開口部を内側に向けて配置し、これを壁部に固定し、下地棒材と交差する保持部材８の開口部に、下地棒材の長尺方向の端部を差し込み、天井部の揺れ時には、下地棒材の端部が保持部材８の内部を自在に移動する構成である。【選択図】図１
2020066977.tif 000002
【特許請求の範囲】
【請求項１】
天井の下地材として、天井部に並べて配置された下地棒材、及び当該下地棒材の下側に配置された天井板材を有する天井の下地構造において、
開口部が横向きに形成された断面コの字状かつ長尺状の保持部材を具備し、
天井際の壁部に、上記保持部材を横向き且つ上記開口部を内側に向けて配置し、これを上記壁部に固定し、
上記下地棒材と交差する上記保持部材の開口部に、上記下地棒材の長尺方向の端部を差し込み、
天井部の揺れ時には、上記下地棒材の端部が上記保持部材の内部を自在に移動することを特徴とする天井の下地構造。
【請求項２】
天井の下地材として、天井部に並べて配置された下地棒材、及び当該下地棒材の下側に配置された天井板材を有する天井の下地構造において、
開口部が横向きに形成された断面コの字状かつ長尺状の保持部材と、背面板部の下端部から横向きに横板部が形成された長尺状の受け部材と、を具備し、
天井際の壁部に、上記保持部材を横向き且つ上記開口部を内側に向けて配置し、また上記保持部材の下側に上記横板部が位置するよう上記受け部材を配置し、これらを上記壁部に固定し、
上記下地棒材と交差する上記保持部材の開口部に、上記下地棒材の長尺方向の端部を差し込み、併せて上記天井板材の端部を、上記受け部材の横板部の上部に配置し、
天井部の揺れ時には、上記下地棒材の端部が上記保持部材の内部を自在に移動することを特徴とする天井の下地構造。
【請求項３】
天井の下地材として、天井部に並べて配置された下地棒材、及び当該下地棒材の下側に配置された天井板材を有する天井の下地構造において、
上板部、縦板部及び下板部からなり、開口部が横向きに形成された断面コの字状かつ長尺状の保持部材と、
上下向きの背面板部、当該背面板部の下端部から横向きに形成された横板部、及び当該横板部の先端部を上向きに屈曲した板受け部からなる断面Ｌ字状かつ長尺状の受け部材と、を具備し、
天井際の壁部に、上記保持部材を横向き且つ上記開口部を内側に向けて配置し、また上記保持部材の下側に上記横板部が位置するように上記受け部材を配置し、上記保持部材の縦板部及び上記受け部材の背面板部をそれぞれ上記壁部に固定し、
上記下地棒材と交差する上記保持部材の開口部に、上記下地棒材の長尺方向の端部を差し込み、併せて上記天井板材の端部近傍の下部を上記受け部材の板受け部で保持し、
天井部の揺れ時には、上記下地棒材の端部が上記保持部材の内部を自在に移動し、同時に上記天井板材の端部近傍が上記板受け部に保持された状態で移動することを特徴とする天井の下地構造。
【請求項４】
上記保持部材の上記開口部を形成する上板部に、当該上板部の長尺方向に沿って形成され、且つ短尺方向に長い複数の長孔部を設け、
止着具を上記長孔部から挿通させ、その一部を上記上板部の上部から突出させた状態で上記下地棒材の上部に固定し、
上記下地棒材とともに移動し、かつ上記長孔部の範囲内を移動する上記止着具により、上記下地棒材の移動範囲を制限することを特徴とする請求項１乃至３の何れかに記載の天井の下地構造。
【請求項５】
上記下地棒材を、上記保持部材の開口部から、その奥行きの半分程度突入させたことを特徴とする請求項１乃至４の何れかに記載の天井の下地構造。
【請求項６】
上記下地棒材を、上記天井板材が取り付けられる野縁材、又は当該野縁材を支持する野縁受け材としたことを特徴とする請求項１乃至５の何れかに記載の天井の下地構造。
【請求項７】
上記天井の下地材は、天井基礎部から吊り下げた吊り具により支持される吊り天井を形成することを特徴とする請求項１乃至６の何れかに記載の天井の下地構造。
【発明の詳細な説明】
【技術分野】
【０００１】
本発明は、天井部の野縁材等の揺れを保護する天井の下地構造に関する。
【背景技術】
【０００２】
従来、地震時等による建物の天井部の揺れに対し、これに対処するための天井構造が知られている。
【０００３】
例えば、図７に示すように、特許文献１に記載の吊り天井の回り縁構造は、天井下地材と天井板材６０の各側端部をそれぞれ被覆する第1見切材６２、及びその上端との係合により側壁と天井板材６０の間の空間を覆って側壁に沿って延在する第1目隠部材６４等を備え、仮に、吊り天井が横揺れして天井板材６０が側壁Ｗ方向に動いたときには、第１見切り材６２が第１目隠部材６４の下面に沿って側壁Ｗに向けて移動し、天井板材６０が側壁Ｗから離れる方向に動いたときには、爪部６６が鉤部６８に係合し第1見切材６２が傾斜するとともに後方に移動する。これにより、地震によって吊り天井が揺れたとき、天井下地材と天井板材６０が当該建造物の側壁に衝突して破損し、落下するのを防止するというものである。
【０００４】
また、特許文献２の野縁構造は、対向する壁部にそれぞれ長尺状の下地材が水平方向に取り付けられ、対向して配された該下地材の室内側に長尺状の壁際野縁が取り付けられ、対向して配された該壁際野縁間に複数の野縁を架設し、これら野縁の端面等に防振パッキンを介在させたことから、下地材からの振動（水平方向）を野縁等の天井部に伝えないようにした天井構造を実現するというものである。
【０００５】
特許文献３に記載の天井構造は、吊りボルトによって支持された天井下地に天井板材が取り付けられた第１天井構造部と、上記天井板材よりも質量が軽くされた軽量天井板材を、上記吊りボルトよりも短い短吊りボルトに支持されている変形可能なワイヤーで吊るした第２天井構造部とを備えることで、地震時の揺れなどで天井が脱落するのを抑制でき、また異なる構造の第１天井構造部と第２天井構造部との天井高さを等しくすることができるというものである。
【先行技術文献】
【特許文献】
【０００６】
【特許文献１】特開２０１５−１０８２４９号公報
【特許文献２】特開平１０−９６２９２号公報
【特許文献３】特開２０１６−１０８７５２号公報
【発明の概要】
【発明が解決しようとする課題】
【０００７】
さて、上記特許文献１の吊り天井の回り縁構造は、構造等が複雑で施工も容易でなく、また天井周囲の際部に第１見切材と第１目隠部材による溝が形成されているため、天井の美観にも欠けるという問題がある。
【０００８】
特許文献２の野縁構造では、防振パッキンにより水平方向の振動が吸収されるものの、天井板材に対する配慮がないため振動により天井板材が破損する虞れも考えられ、また特許文献３の天井構造では、天井下地に第１及び第２構造部を備えているため構造が複雑で、施工にも手間取るという問題がある。
【０００９】
本発明は上記問題点を解決するためになされたものであり、天井部の揺れに対して、天井の下地材等を揺れから免震保護し、また簡単な構造で施工性にも優れた天井の下地構造を提供することを目的とする。
【課題を解決するための手段】
【００１０】
以上の技術的課題を解決するため、本発明は、天井の下地材として、天井部に並べて配置された下地棒材４（２）、及び当該下地棒材の下側に配置された天井板材６を有する天井の下地構造において、開口部９が横向きに形成された断面コの字状かつ長尺状の保持部材８を具備し、天井際の壁部１２に、上記保持部材８を横向き且つ上記開口部９を内側に向けて配置し、これを上記壁部に固定し、上記下地棒材と交差する上記保持部材８の開口部９に、上記下地棒材の長尺方向の端部を差し込み、天井部の揺れ時には、上記下地棒材の端部が上記保持部材８の内部を自在に移動する構成である。
【００１１】
また、本発明は、天井の下地材として、天井部に並べて配置された下地棒材４（２）、及び当該下地棒材の下側に配置された天井板材６を有する天井の下地構造において、開口部９が横向きに形成された断面コの字状かつ長尺状の保持部材８と、背面板部の下端部から横向きに横板部２８が形成された長尺状の受け部材１０と、を具備し、天井際の壁部１２に、上記保持部材８を横向き且つ上記開口部９を内側に向けて配置し、また上記保持部材８の下側に上記横板部２８が位置するよう上記受け部材１０を配置し、これらを上記壁部に固定し、上記下地棒材と交差する上記保持部材８の開口部９に、上記下地棒材の長尺方向の端部を差し込み、併せて上記天井板材６の端部を、上記受け部材１０の横板部２８の上部に配置し、天井部の揺れ時には、上記下地棒材の端部が上記保持部材８の内部を自在に移動する構成である。
【００１２】
また、本発明は、天井の下地材として、天井部に並べて配置された下地棒材４（２）、及び当該下地棒材の下側に配置された天井板材６を有する天井の下地構造において、上板部、縦板部１６及び下板部からなり、開口部９が横向きに形成された断面コの字状かつ長尺状の保持部材８と、上下向きの背面板部２６、当該背面板部の下端部から横向きに形成された横板部２８、及び当該横板部の先端部を上向きに屈曲した板受け部３０からなる断面Ｌ字状かつ長尺状の受け部材１０と、を具備し、天井際の壁部１２に、上記保持部材８を横向き且つ上記開口部９を内側に向けて配置し、また上記保持部材８の下側に上記横板部２８が位置するように上記受け部材１０を配置し、上記保持部材８の縦板部１６及び上記受け部材１０の背面板部２６をそれぞれ上記壁部に固定し、上記下地棒材と交差する上記保持部材８の開口部９に、上記下地棒材の長尺方向の端部を差し込み、併せて上記天井板材６の端部近傍の下部を上記受け部材１０の板受け部３０で保持し、天井部の揺れ時には、上記下地棒材の端部が上記保持部材８の内部を自在に移動し、同時に上記天井板材６の端部近傍が上記板受け部３０に保持された状態で移動する構成である。
【００１３】
また、本発明に係る天井の下地構造は、上記保持部材８の上記開口部９を形成する上板部１４に、当該上板部の長尺方向に沿って形成され、且つ短尺方向に長い複数の長孔部２０を設け、止着具を上記長孔部２０から挿通させ、その一部を上記上板部の上部から突出させた状態で上記下地棒材の上部に固定し、上記下地棒材とともに移動し、かつ上記長孔部２０の範囲内を移動する上記止着具により、上記下地棒材の移動範囲を制限する構成である。
【００１４】
本発明に係る天井の下地構造は、上記下地棒材を、上記保持部材８の開口部９から、その奥行きの半分程度突入させた構成である。
本発明に係る天井の下地構造は、上記下地棒材を、上記天井板材６が取り付けられる野縁材４、又は当該野縁材４を支持する野縁受け材２とした構成である。
上記天井の下地材は、天井基礎部から吊り下げた吊り具により支持される吊り天井を形成する構成である。
【発明の効果】
【００１５】
本発明に係る天井の下地構造によれば、天井際の壁部に、保持部材を横向き且つ開口部を内側に向けて配置し、これを壁部に固定し、保持部材の開口部に下地棒材の長尺方向の端部を差し込み、天井部の揺れ時には、下地棒材の端部が保持部材の内部を自在に移動する構成としたから、地震時等による揺れに対して、天井の下地材等を揺れから保護し、下地材等の破損、落下等が防止でき、また構成が簡単で施工性にも優れるという効果を奏する。
【００１６】
本発明に係る天井の下地構造によれば、天井際の壁部に、保持部材を横向き且つ開口部を内側に向けて配置し、また保持部材の下側に横板部が位置するよう受け部材を配置し、これらを壁部に固定し、保持部材の開口部に下地棒材の長尺方向の端部を差し込み、併せて天井板材の端部を、受け部材の横板部の上部に配置し、天井部の揺れ時には、下地棒材の端部が保持部材の内部を自在に移動する構成としたから、地震時等による揺れに対して、天井の下地材等を揺れから保護し、下地材等の破損、落下等が防止でき、また天井部の美観も維持されるという効果を奏する。
【００１７】
本発明に係る天井の下地構造によれば、天井際の壁部に、保持部材を横向き且つ開口部を内側に向けて配置し、また保持部材の下側に横板部が位置するように受け部材を配置し、保持部材の縦板部及び受け部材の背面板部をそれぞれ壁部に固定し、保持部材の開口部に下地棒材の長尺方向の端部を差し込み、併せて天井板材を受け部材の板受け部で保持し、天井部の揺れ時には、下地棒材の端部が保持部材の内部を自在に移動し、同時に天井板材が板受け部に保持された状態で移動する構成としたから、地震時等による揺れに対して、天井の下地材等を揺れから保護し、下地材等の破損、落下等が防止でき、また天井部の美観も維持されるという効果を奏する。
【００１８】
本発明に係る天井の下地構造によれば、保持部材の上板部に長孔部を設け、止着具を長孔部から挿通させて下地棒材に固定し、下地棒材の移動範囲を制限する構成としたから、下地棒材の移動が適切に制限され安全性が高まるという効果がある。
【図面の簡単な説明】
【００１９】
【図１】第一の実施の形態に係る天井の下地構造を示す部分図である。
【図２】保持部材を示す図であり、（ａ）は側面図、（ｂ）は斜視図をそれぞれ示す。
【図３】受け部材を示す図であり、（ａ）は側面図、（ｂ）は斜視図をそれぞれ示す。
【図４】実施の形態に係る天井の下地構造として、長孔部に止着具を取り付けた状態を示す部分図である。
【図５】実施の形態に係る天井の下地構造として、天井板材を二枚重ねた例を示す部分図である。
【図６】第二の実施の形態に係る天井の下地構造を示す部分図である。
【図７】従来例に係る吊り天井の回り縁構造を示す図である。
【発明を実施するための形態】
【００２０】
以下、本発明の実施の形態を図面に基づいて説明する。
図１は、第一の実施の形態に係る天井の下地構造（一部）を示したものである。
天井の下地構造は、例えば、下地棒材（野縁受け材２、野縁材４）及び天井板材６等を、ハンガーなどで吊るした吊り天井が適用できる。この場合、天井基礎部から吊るしたハンガーに野縁受け材２を支持させ、また野縁材４は、野縁受け材２と交差（直交）する状態に配置し、クリップ３等を用いて野縁受け材２の下部に固定する。
【００２１】
さらに、この天井の下地構造では、下地棒材としての野縁材４を保持する保持部材８、及び天井板材６を受けこれを保持する受け部材１０等を用いる。これら保持部材８及び受け部材１０は、建物の壁部１２等に取り付けて使用され、また受け部材１０は保持部材８の下側に配置される。
【００２２】
図２（ａ）（ｂ）に示すように、上記保持部材８は、上板部１４、縦板部１６及び下板部１８からなり、開口部９が横向きに形成された断面コの字状の長尺材である。また、保持部材８の上板部１４の先端部付近には、斜め上方に屈曲したガイド片部２２が設けられている。さらに、保持部材８の上板部１４には、上板部１４の長尺方向に向け、短尺方向に長い長孔部２０が所定間隔をおいて複数形成されている。この長孔部２０には、ビス５２等の止着具が挿通される。
ここで、保持部材８の上板部１４の幅（Ｌ）は５５ｍｍ、ガイド片部２２の幅（Ｍ）は１０ｍｍとしている。保持部材８の縦板部１６の高さ幅（内部側）（Ｈ）は４０．５ｍｍ、下板部１８の幅（Ｎ）は６０ｍｍとしている。また、保持部材８の板厚は０．６ｍｍである。このように、保持部材８の上板部１４の幅は下板部１８の幅と同程度としている。
【００２３】
上記保持部材８の上板部１４及び下板部１８の幅（Ｌ、Ｎ）は、地震時等の振動（揺れ）により、予測される天井部の野縁材４及び天井板材６の移動（水平方向）範囲等、を考慮して決定する。
なお、地震時等では建物の躯体（天井基礎部、壁部１２等）が揺れ、これに伴い天井の下地材（野縁受け材２、野縁材４、天井板材６等）が揺れる場合、また建物内部の機械振動、風圧等により天井下地の構造物が揺れる場合等がある。また、地震時等には横揺れが多いが、震源により縦揺れが加わる場合がある。これら何れの場合も、建物の躯体と天井の下地材等とが相対的に変位し、振動、移動することが考えられる。
保持部材８の開口部９に先端部５を突入させた野縁材４は、保持部材８の内部を移動するが、これは壁部１２の振動、移動による場合、野縁材４自体の移動、振動による場合があり、このため野縁材４と保持部材８間は変位し、野縁材４は保持部材８に対して相対的に移動する。
【００２４】
また、保持部材８の縦板部１６の高さ幅（Ｈ）は、この保持部材８の開口部９内を移動する野縁材４の縦幅に基づいて定める。この場合、保持部材８の上板部１４と野縁材４の上面部４６、また下板部１８と野縁材４の下面部５０との間に、保持部材８に対する野縁材４の相対移動を妨げないよう、隙間（遊び）をもたせておく。
【００２５】
これにより、地震時等の横揺れに対しては、保持部材８は野縁材４の横（水平）方向の移動（振動）を自由に行わせ、また縦揺れに対しては、上下方向の移動（振動）を抑制する。なお、縦揺れの場合、建物の躯体と天井の下地材との相対的な変位は比較的少ないため、上下振動は抑制するのがむしろ有効である。
また、上記隙間（遊び）を少し広く設け、野縁材４の上部又は／及び下部と保持部材８（上板部１４、下板部１８）との間に弾性材を介在させ、野縁材４の上下移動を弾性吸収し、また軋み音等を防止するようにしてもよい。
【００２６】
上記受け部材１０は、図３（ａ）（ｂ）に示すように、上下向きの背面板部２６、この背面板部２６の下端部から横向きに形成される横板部２８、及び当該横板部２８の先端部を上向きに屈曲した板受け部３０からなる断面Ｌ字状の長尺材である。
上記板受け部３０は、上向きの立上板部３２、及びこの上部から壁部１２方向（反壁部１２方向の形状も可能）に向けて屈曲した受け片部３４を有している。
【００２７】
また、ここでは受け部材１０の背面板部２６の高さ幅（Ｐ）は１００ｍｍ、横板部２８の幅（Ｑ）は６０ｍｍ、立上板部３２の高さ幅（Ｒ）は７．５ｍｍ、及び受け片部３４の幅（Ｓ）は７ｍｍとしている。ここで、受け部材１０の横板部２８の幅（Ｑ）と、保持部材の下板部１８の幅（Ｎ）とは、同じ大きさ（６０ｍｍ）としており、野縁材４と天井板材６との移動の許容範囲を同じに合わせている。
上記保持部材８及び受け部材１０は、何れも軽量鋼板をプレス加工等により屈曲成形したものであり、また何れも鋼板の板厚は０．６ｍｍである。
【００２８】
上記野縁受け材２は、鋼板を屈曲成形したものであり、上片部４０、縦片部４２及び下片部４４からなる断面コの字状の長尺材である。また、上記野縁材４は、軽量鋼板を屈曲成形したもので、上面部４６、左右の側面部４８，４８、及び下面部５０からなる断面ロの字状の長尺材である。
図１に示すように、野縁材４は、通常クリップ３等を用いて野縁受け材２の下部に固定され、クリップ３の断面Ｕ字状の野縁受け部５６で野縁材４を載置保持し、クリップ３の上部の係止部５７を野縁受け材２の上片部４０に係止させ、野縁材４を固定する。また、野縁受け材２等の天井の下地材は、天井基礎部から吊るしたハンガー等の吊り具によって支持する。
【００２９】
さて、上記保持部材８及び受け部材１０は、天井際の壁部１２に配置固定する。具体的には、保持部材８及び受け部材１０は、天井部に配置される各野縁材４の長尺方向の先端部側に配置する。これら野縁材４は、平行且つ所定の間隔をおいて並設される。
【００３０】
ここで、上記保持部材８及び受け部材１０を配置する天井の下地構造について説明する。
上記保持部材８及び受け部材１０の配置形態については、矩形状の天井部の向い合う二辺の各部位に配置する形態、又は天井部の一辺の部位のみに配置する形態がある。なお、上記何れの配置形態についても、各辺の部位に配置する基本的な下地構造は同じである。
【００３１】
保持部材８は、天井際の壁部１２に、横向きに且つその開口部９を内側に向けて配置する。これと同時に、保持部材８の下側に受け部材１０の横板部２８が位置するよう、受け部材１０を配置する。このとき、受け部材１０の背面板部２６を、保持部材８の縦板部１６と壁部１２との間に配置し、背面板部２６と縦板部１６とを重ねる。そして、ビス３８を用い、縦板部１６から背面板部２６を貫通させ、これらを壁部１２に螺設し固定する。
【００３２】
上記壁部１２の内部には、所定間隔でスタッド材１５が骨組み材として一定間隔をおいて配置されている。これら上下向きのスタッド材１５の上部に、保持部材８をビス３８により螺設する。上記保持部材８のビス３８による固定は、天井際の一辺部位の全体（端から端）にわたって行い、例えばスタッド材１５毎に行う。天井際の一辺部位に配置されるスタッド材１５は、複数本、例えば３本以上配置する。
通常、断面コの字状のスタッド材１５の上部側及び下部側にはランナー材（断面コの字状）が配置され、これらランナー材の溝部にスタッド材の上端部及び下端部を嵌めて固定する。なお、保持部材８は上記ランナー材に取り付けることも可能である。
【００３３】
次に、吊るされたハンガーに野縁受け材２を支持させ、所定間隔をおいて平行に配置された野縁受け材２の下部に、クリップ３を用いて野縁材４を取り付ける。野縁材４は、野縁受け材２の下部に野縁受け材２とは交差（直交）する方向に配置し、互いに所定の間隔を置き、各野縁材４同士を平行に並べて取り付ける。
そして、各野縁材４の長尺方向の先端部５と、天井際の壁部１２との間は、地震時等により野縁材４或いは壁部１２等が水平方向に揺れ移動（相対移動）することが予測される。
【００３４】
このため、予測される範囲の移動（相対移動）を確保吸収し得るよう、野縁材４の先端部５と保持部材８の縦板部１６との間に空間部１１を設ける。この空間部１１は、野縁材４の先端部５と壁部１２との間の空間部に略相当する。また、野縁材４の長尺方向の両側の壁部１２につき、これら両壁部１２同士の間隔が変位することが予測される場合がある。
このように、上記移動（相対移動）が発生した場合、野縁材４の先端部５が保持部材８の内部を自由に移動できることが望ましい。このため、空間部１１の空間幅（Ｗ）の寸法、および保持部材８の上板部１４及び下板部１８の幅を、適切な大きさに設定する。
【００３５】
そして、部屋の壁部１２に向けて配置される野縁材４の先端部５を、保持部材８の開口部９から内部に差し込む。このとき、野縁材４の先端部５が保持部材８のガイド片部２２に案内され、野縁材４の差し込みが容易且つ迅速に行える。
【００３６】
ここでは、壁部１２と向き合う野縁材４の長尺方向の先端部５と、保持部材８の縦板部２６との間の空間部１１の空間幅（Ｗ）を３０ｍｍとしている。この場合、保持部材８の下板部１８の幅（Ｎ）は６０ｍｍであるから、この奥行きの半分程度、野縁材４の先端部５が突入した状態である。このため、野縁材４は上記保持部材８に半分突入した位置を基準に、左右に±３０ｍｍの移動（振動）が可能となる。
また、野縁材４の下部に取り付けられる天井板材６は、その端部７を野縁材４の先端部５と同じ（同一垂直面）に揃えて配置し、天井板材６の端部７と壁部１２との間も、上記空間幅（Ｗ）と同程度の幅の空間部（隙間部１３）を確保する。
【００３７】
そして、野縁材４の長尺方向の先端部５を、上記保持部材８の開口部９内に差し込む。このとき、野縁材４の先端部５と保持部材８の縦板部１６との間（これは野縁材４の先端部５と壁部１２との間の距離と略同じ）には、振動等により野縁材４が移動可能な余地として上記空間部１１を設けておく。
【００３８】
上記保持部材８に差し込まれた野縁材４は、野縁材４の長尺方向の移動が可能であるが、野縁材４が壁部１２に沿う方向に移動することも可能であり、このため交差する二方向の揺れに対して振動を吸収することができる。
また、天井の下地材として、野縁材４等の揺れが必要以上にならないよう所定範囲に制限し、天井の下地材を保護することも考えられる。このため、ここでは保持部材８の上板部１４に、壁部１２に向けて長い長孔部２０を設け、この長孔部２０の長孔の範囲内に野縁材４の移動（相対）を制限することとした。
【００３９】
上記上板部１４の長尺方向に所定間隔をおいて設けられた長孔部２０は、野縁材４の上面部４６の幅寸法よりも狭い間隔で設けられており、野縁材４の上面部４６には、常に何れかの長孔部２０が位置するようにしている。この長孔部２０は、上板部１４の短尺方向の端部近傍から中央部にかけて長い孔状に形成されている。
【００４０】
そして、図４に示すように、保持部材８の長孔部２０の内、野縁材４の上面部４６が下部に配置される箇所の長孔部２０から、ビス５２等の止着具を螺入する。また、ビス５２と長孔部２０（短尺側）との間、及びビス５２の頭部５３と保持部材８の上板部１４との間にそれぞれ隙間を設け、保持部材８に対する野縁材４の相対移動の自由を妨げないようにする。このように、ビス５１等の止着具はその一部（頭部等）を上板部１４から突出させておく。なお、ビス５２の他、長孔部２０から挿通可能で野縁材４に固定できる棒状片の止着具であれば使用可能である。
【００４１】
他の野縁材４についても、同様に、保持部材８の長孔部２０から野縁材４の上部として上面部４６にビス５２を螺入し取り付ける。上記保持部材８の長孔部２０からのビス５２の取付けは、天井部の向い合う二辺の部位の内、野縁材４の一方側の端部が向かう部位のみ、或いは野縁材４の一方側及び他方側の両端部が向かう部位について行う。
地震時等の揺れにより、保持部材８に対して野縁材４が相対移動した場合、当該野縁材４の移動に伴い上記ビス５２が長孔部２０内を移動する。
【００４２】
これにより野縁材４の移動、つまりこれと連動するビス５２の移動は長孔部２０の長孔の範囲に制限され、ビス５２は野縁材４の移動の範囲を制限するストッパーの役割を果たす。なお、上記長孔部２０及びビス５２を用いた野縁材４の移動の制限手段は、予測される野縁材４等の揺れの大きさ、或いは保持部材８からの野縁材４の外れ防止等、必要に応じて採用する。
なお、野縁材４の揺れが、野縁材４の長尺方向のみならずこれと交差（直交）する方向にも発生し、この揺れを許容し吸収する必要がある場合には、上記長孔部２０による制限機能は用いないでフリーな状態とすることもできる。
【００４３】
上記野縁材４の下部には、天井板材６を取り付ける。ここでは、天井板材６の下面からビス５４を捩じ込み、さらにこのビス５４を野縁材４の下面部５０に螺設し、天井板材６を野縁材４の下部に固定する。
【００４４】
また、野縁材４の先端部５と天井板材６の壁部１２に面する端部７とは、これらを揃えて（同一垂直面）配置する。天井板材６は野縁材４に固定されているため、野縁材４と天井板材６とは一体的に振動し移動する。このため、野縁材４の先端部５と天井板材６の端部７とを上記揃えることで、両材料が保持部材８及び受け部材１０と関わる移動範囲を有効にかつ広く確保できる。
【００４５】
保持部材８の下板部１８は、野縁材４と天井板材６との間の隙間（Ｇ）に挟まれ、差し込まれる状態で取り付ける。このため、上記天井板材６をビス５４で固定する際、保持部材８に近い位置のビス５４については、少し緩めに天井板材６と野縁材４との間を締結する。
これにより、野縁材４の下面部５０と天井板材６の上面部７との間に、保持部材８の下板部１８が差し込める程度の隙間（Ｇ）を形成する。この隙間（Ｇ）により、野縁材４と天井板材６とが一体的に揺れた場合、野縁材４と天井板材６との間に保持部材８の下板部１８を挟んだ状態で、この下板部１８の上下面を両材料が摺動しながら移動する。
【００４６】
一方、上記天井板材６の取り付けの際には、天井板材６の壁部１２に面する端部７近傍を、受け部材１０の板受け部３０に載せる状態で配置する。
これにより、天井板材６の端部７近傍が受け部材１０の板受け部３０で支持され、また天井板材６の端部７近傍、及び天井板材６の端部７と壁部１２との間の隙間部１３の下側を受け部材１０の横板部２８が被い、目隠しの効果が得られ天井の際部の美観が図れる。
【００４７】
上記保持部材８は、主に野縁材４（及び天井板材６）を保持し、その移動（所定範囲内）を許容し、また受け部材１０は、天井板材６の移動を許容し、天井板材６の端部７近傍の下部を被う。このように、保持部材８及び受け部材１０等により、野縁材４及び天井板材６の自由な移動（振動）を許容し、地震等の揺れに対して免震保護し、また天井の際部の美観も図れる天井の下地構造が形成される。
【００４８】
天井部の向い合う二辺の各部位に、上記下地構造を配置する形態を採用することも可能である。この場合、上記天井部の一辺の部位に配置する形態と同様な形態の下地構造を、天井部の他の辺の部位に配置する。そして、この他の辺に係る下地構造についても、壁部１２と向き合う野縁材４の長尺方向の先端部５と、保持部材８の縦板部２６との間の空間部１１の空間幅（Ｗ）を例えば３０ｍｍとする。
この場合、野縁材４（及び天井板材６）は、その先端部５を保持部材８の開口部９から内部へ差し込んだ状態（下板部１８の幅（Ｎ）の半分）を基準に、野縁材４の長尺方向に±３０ｍｍの移動（振動）が可能となる。
【００４９】
また、上記天井部の一辺部位のみに上記天井の下地構造を配置する形態を採用することも可能である。この場合、他方の辺の部位については、例えば野縁材4及び天井板材６は、ともに壁部１２に当接した状態で配置する。このとき、野縁材４等は当接した壁部１２方向へは移動できないが、これと向い合う他方の辺の部位の下地構造により、反壁部１２方向の所定範囲については、振動による野縁材４の移動は自在に行える。
また、上記壁部１２に当接させた野縁材４等を壁部１２に固定することも可能であり、この場合、野縁材４は壁部１２とともに移動し、他方の辺の部位については上記と同様、上記下地構造により野縁材４の自由な移動が可能である。
この天井の下地構造を採用した場合においても、保持部材８及び受け部材１０を設けた側において、野縁材４の左右の移動が自由に行え、このため野縁材４の揺れを吸収することは可能であり、免震及び緩衝効果が発揮され天井の下地材等の保護が可能である。
【００５０】
図５は、天井板材６を二枚重ねて使用した場合の例である。ここでは、野縁材４の下部に天井板材６を二枚重ねて配置し、下側の天井板材６の下面からビス５４を捩じ込み、さらにこのビス５４を野縁材４の下面部５０に螺設し、二枚の天井板材６を野縁材４の下部に固定する。
この場合、天井板材６の下面の位置が天井板材６の一枚分下がる。このため、これに応じて受け部材１０の取付け位置を下げ、受け部材１０の板受け部３０により下側の天井板材６の下面を保持できる位置に設定する。このように、天井板材６の下面の上下位置が変わる場合は、これに応じて受け部材１０の上下位置を調整する。その他の構成、作用等は、天井板材６が一枚の場合と同様である。
【００５１】
さて、地震時等には、建物の躯体（壁部１２等）及び天井部の下地材（野縁受け材２、野縁材４、天井板材６等）は激しく揺れ、また野縁材４及び天井板材６等は保持部材８及び受け部材１０に対して相対移動（振動）する。通常、壁部１２等と天井部の野縁材４等との間の相対移動により、両者間に歪み、衝突等が発生することが予測される。
【００５２】
この場合、上記天井の下地構造によれば、野縁材４が保持部材８の開口部９内を自由に移動し、併せて天井板材６の端部近傍が板受け部３０に保持された状態で、野縁材４と一体に移動する。このため、地震時等の揺れに対して、野縁材４の先端部５が保持部材８内を自在に移動して緩衝効果が発揮され、壁部１２等と天井下地材としての野縁材４等との間の歪み、衝突等が軽減され緩和される。
【００５３】
このように、上記天井の下地構造では、壁部１２等と野縁材４及び天井板材６等との間の振動（相対的変位）を吸収緩和する免震効果が発揮され、天井の下地材等が有効に保護される。特に、天井下地材（野縁受け材２、野縁材４、天井板材６等）をハンガー等で吊るした吊り天井の場合、上記相対的な変位が大きくなることが予測され、上記天井の下地構造が有効に適用できる。
【００５４】
従って、地震時等による揺れを上記天井の下地構造の機構が吸収し、壁部１２に追従して野縁材４等が強制的に移動振動することが軽減され、天井の下地構造に係る下地材（野縁材４、天井板材６等）の破損或いは落下等が防止できる。また、保持部材８の上板部１４及び下板部１８により、野縁材４の上下振動（揺れ）が抑制され、天井の下地構造に係る材料の破損或いは落下等が防止でき、また受け部材１０についても同様な効果が期待できる。
【００５５】
よって、第一の実施の形態に係る天井の下地構造によれば、地震時等による揺れに対して、天井の下地材等を揺れから保護して免震、耐震効果が発揮され、下地材等の破損、落下等の防止に寄与し、また天井部の美観も維持され、加えて構成が簡単であり施工性にも優れるという効果がある。
【００５６】
次に、図６に示す第二の実施の形態について説明する。この実施の形態に係る天井の下地構造では、下地棒材としての野縁受け材２と天井板材６等に対して、保持部材８及び受け部材１０を適用する形態について説明する。
ここでは、保持部材８及び受け部材１０の形状等、及び野縁受け材２と天井板材６等の揺れの形態等は、上記実施の形態と同様であり、また同一のものについては同一の符号を用いてここでの詳細な説明は省略する。
【００５７】
さて、保持部材８及び受け部材１０等は、天井部に配置される各野縁受け材２の長尺方向の先端部側に配置、固定する。各野縁受け材２は、天井部に平行且つ所定の間隔をおいて配置され、各野縁受け材２の下部には野縁材４及び天井板材６が取り付けられ、これら各材料の形状、取り付け形態等は上記実施の形態と同様である。
【００５８】
ここで、例えば平面矩形状の天井部の４辺の部位の内、向かい合う二辺の各部位の天井際の上記壁部１２に対して、これら壁部１２とは直交する関係に天井際の壁部１２が配置される場合を想定する。
上記保持部材８は、上記壁部１２に横向きに且つその開口部９を内側に向けて配置し、同時に受け部材１０を配置し、その横板部２８を保持部材８の下側に設ける。そして、ビス３８を用い、保持部材８の縦板部１６を壁部１２（スタッド材１５）に螺設、併せて受け部材１０の背面板部２６を壁部１２に螺設し、これらを同時に固定する。
【００５９】
次に、天井基礎部等に取り付けたハンガーに野縁受け材２を取り付けて支持させ、所定間隔をおいて野縁受け材２を互いに平行に配置する。各野縁受け材２の長尺方向の先端部１７と、天井際の保持部材８の縦板部１６（壁部１２に相当）との間は、振動等による移動のための空間部１１を設けておく。
【００６０】
そして、部屋の一方の壁部１２及びこれと向かい合う他方の壁部１２に向け、野縁受け材２を配置し、上記保持部材８の開口部９から、上記各野縁受け材２の長尺方向の先端部１７を差し込む。ここで、野縁受け材２と保持部材８の縦板部２６との間の空間部１１の空間幅（Ｗ）は例えば３０ｍｍとする。
続いて、野縁受け材２の下部に、クリップ３を用いて野縁材４を取り付ける。野縁材４は野縁受け材２とは交差（直交）する状態に配置し、各野縁材４同士を平行に並べて取り付ける。
【００６１】
また、必要により保持部材８の上板部１４の長孔部２０から、ビス５２を野縁受け材２の上部としての上片部４０に螺入し取り付ける。他の野縁受け材２についても同様に、ビス５２を螺入する。なお、上記長孔部２０は、野縁受け材２の上片部４０の幅寸法よりも狭い間隔で設ける。揺れにより、野縁受け材２が移動した場合、上記ビス５２が長孔部２０内を移動し、野縁受け材２の移動は、長孔部２０の長孔の範囲に制限される。
【００６２】
野縁材４の下部には、天井板材６を取り付ける。この場合、天井板材６の下部からビス５４を捩じ込み、このビス５４を野縁材４の下面部５０に螺設し、天井板材６を野縁材４の下部に取り付け固定する。
そして、天井板材６の端部７を、受け部材１０の板受け部３０に載せる状態で配置する。これにより、天井板材６の端部７近傍は、受け部材１０の板受け部３０で支持され、また受け部材１０の横板部２８により、天井板材７と壁部１２との間の隙間部１３が被われ、目隠しの効果が得られる。
【００６３】
またこの実施の形態においても、矩形状の天井部の一辺の部位又は向い合う二辺の各部位にこの天井の下地構造を配置する形態が可能である。
天井部の向い合う二辺の各部位に、この天井の下地構造を構築する場合、各保持部材８に野縁受け材２の先端部１７をそれぞれ突入（奥行きの半分）させ、野縁受け材２及び天井板材６は、上記半分突入した状態を基準に、野縁受け材２の長尺方向に±３０ｍｍの移動（振動）が可能となる。
また、天井板材６と壁部１２との間に、両者間の隙間部１３を下から被う状態で受け部材１０が配置され、このため天井の際部の美観が図れる。
【００６４】
従って、地震時等による揺れを上記天井の下地構造の機構が吸収し、壁部１２に追従して野縁受け材２等が移動振動することが軽減され、天井の下地構造に係る下地材（野縁受け材２、天井板材６等）の破損或いは落下等が防止できる。また、保持部材８により野縁受け材２の上下振動（揺れ）が抑制され、天井の下地構造に係る材料の破損或いは落下等が防止でき、また受け部材１０についても同様な効果が期待できる。
【００６５】
よって、第二の実施の形態に係る天井の下地構造によれば、地震時等による揺れに対して、天井の下地材等を揺れから保護して免震、耐震効果が発揮され、下地材等の破損、落下等が防止でき、また天井部の美観も維持され、施工性にも優れるという効果がある。
【００６６】
尚、上記第一の実施の形態と第二の実施の形態とを組み合わせた実施の形態として、野縁材４と天井板材６に対して、また野縁受け材２と天井板材６に対して、それぞれ保持部材８及び受け部材１０を適応する形態を同時に使用することも可能である。
【００６７】
この場合、部屋の一方側の向き合う壁部１２の一方又は双方に、野縁材４を受ける保持部材８及び受け部材１０を配置し、他方側の向き合う壁部１２の一方又は双方に、野縁受け材２を受ける保持部材８及び受け部材１０を配置する。
この実施の形態についても、上記実施の形態と同様の効果が得られ、さらに天井部の複数方向、例えば一方向及びこれと交差する他の方向等からの揺れにも対処可能である。
【符号の説明】
【００６８】
２  下地棒材（野縁受け材）
４  下地棒材（野縁材）
６  天井板材
８  保持部材
９  開口部
１０  受け部材
１２  壁部
１４  上板部
１６  縦板部
１８  下板部
２０  長孔部
２６  背面板部
２８  横板部
３０  板受け部
【図１】
2020066977.tif 000003
【図２】
2020066977.tif 000004
【図３】
2020066977.tif 000005
【図４】
2020066977.tif 000006
【図５】
2020066977.tif 000007
【図６】
2020066977.tif 000008
【図７】
2020066977.tif 000009